(57)【特許請求の範囲】
【請求項１】
それぞれ所定の軸周りに回動されることにより開閉され、閉状態にあるときは撮影光学系を通過する撮影光束の内の少なくとも光軸近傍の光束を遮光し、開状態にあるときは撮影光束の通過経路上から退避される、複数枚の内羽根と、
それぞれ所定の軸周りに回動されることにより開閉され、閉状態にあるときは撮影光学系を通過する撮影光束の内の主に周辺部の光束を遮光し、開状態にあるときは撮影光束の通過経路上から退避されて上記複数枚の内羽根のそれぞれと略重なり合う、複数枚の外羽根と、
複数の上記内羽根および上記外羽根とそれぞれ係合する複数の係合部を有していて、該羽根を開閉駆動する羽根駆動部材と、
上記複数枚の内羽根のそれぞれに設けられ、上記羽根駆動部材の係合部と常時カム結合して、この羽根駆動部材の駆動力を上記複数枚の内羽根に伝達する内羽根カムと、
上記複数枚の外羽根のそれぞれに設けられ、上記羽根駆動部材の係合部と常時カム結合して、この羽根駆動部材の駆動力を上記複数枚の外羽根に伝達する外羽根カムと、
を具備し、
上記内羽根および上記外羽根を略同時に全開方向へ駆動開始していって、全開位置に到達する際には、上記内羽根が全開位置に到達する時と、上記外羽根が全開位置に到達する時とを異なるように、上記内羽根カムと上記外羽根カムのカム形状を形成した
ことを特徴とするカメラの露出調節装置。
【発明の詳細な説明】
【０００１】
【発明の属する技術分野】
本発明は、カメラの露出調節装置、より詳しくは、撮影光束を遮光しまたは通過させるカメラの露出調節装置に関する。
【０００２】
【従来の技術】
複数枚の羽根を開閉することにより、撮影光学系からの撮影光束を遮光しまたは通過させるカメラの露出調節装置は、従来より、種々のものが提案されている。
【０００３】
このようなものの一例として、例えば特開平５−２８９１４６号公報には、ソレノイドとプランジャとを有して構成され該ソレノイドへの通電によりプランジャが吸着される電磁駆動手段と、上記プランジャをソレノイドから離反する方向に付勢する付勢手段と、上記プランジャの吸着位置においてフィルム面への露光を行うシャッタと、上記ソレノイドへの通電を制御する通電制御手段とを備え、上記通電制御手段は、プランジャの吸着後に、上記付勢手段の吸着位置での付勢力量よりもプランジャの吸着力量が若干上回るように、上記ソレノイドへの通電状態を制御するカメラの露出制御装置が記載されている。
【０００４】
こうして、ソレノイドへの通電状態を動作に支障を来すことなく変化させることにより、消費電力を下げて電池寿命を延ばすとともに、発熱量を下げて信頼性を向上させるものとなっている。このカメラの露出制御装置は、シャッタ羽根は通常の２枚羽根でなるものであり、これらの羽根が互いに離間して開口を構成し、再び近接して開口を閉じるものである。
【０００５】
また、他の例として特願平７−１２４１０１号には、所定の軸周りに回動されることにより開閉され、閉状態にあるときは撮影光学系を通過する撮影光束の内、少なくとも光軸近傍の光束を遮光し、開状態にあるときは撮影光束の通過経路上から退避される複数枚の内羽根と、所定の軸周りに回動されることにより開閉され、閉状態にあるときは撮影光学系を通過する撮影光束の内、主に周辺部の光束を遮光し、開状態にあるときは撮影光束の通過経路上から退避され、上記複数枚の内羽根のそれぞれと略重なり合う複数枚の外羽根と、上記複数枚の外羽根の開状態における位置を規定し、上記撮影光学系の変倍動作に連動してこの位置を変更する位置規定手段とを備えた遮光装置が記載されている。
【０００６】
すなわち、この遮光装置は、例えば２枚が一組みとなった２組の羽根を有しており、つまり通常の２枚羽根でなるシャッタ羽根の各一枚を、撮影光路の内側を遮光する内羽根と外側を遮光する外羽根との２枚構成としたものである。これにより、適用する撮影光学系の光学性能を落とすことなく、開放状態における開口部の開口精度を良好に確保することができるようになっている。
【０００７】
【発明が解決しようとする課題】
しかしながら、上記特開平５−２８９１４６号公報や特願平７−１２４１０１号に記載のものでは、露光動作を行う際には、全てのシャッタ羽根が、閉状態から開状態へと徐々に移動しながら、最終的に全開位置へ同時に到達するために、全開位置においてその移動を急に停止させられることになる。
【０００８】
このときには、全てのシャッタ羽根の質量（通常の２枚羽根の場合には羽根の枚数は少ないが、同じ開口径を得るためには各羽根の面積が大きくなるために、重量もあまり２枚×２組の羽根とかわらない。）がシャッタ羽根自体および該シャッタ羽根のカム孔に係合して駆動する駆動ピンに慣性としてかかるためにその衝撃は大きく、このときの衝撃により、撮影レンズ鏡枠全体が振動してしまい、写真がブレてしまうことがあった。
【０００９】
さらに、上記シャッタ羽根のカム孔と駆動ピンのガタ分によって生じるシャッタ羽根のバウンドにより、全開時にシャッタ羽根が開口内に振れ戻る瞬間が発生して、露光量のバラツキが発生することがあった。
【００１０】
本発明は上記事情に鑑みてなされたものであり、羽根が全開になって停止するときに発生する衝撃を緩和することができるカメラの露出調節装置を提供することを目的としている。
【００１３】
【課題を解決するための手段】
上記の目的を達成するために、この発明によるカメラの露出調節装置は、それぞれ所定の軸周りに回動されることにより開閉され、閉状態にあるときは撮影光学系を通過する撮影光束の内の少なくとも光軸近傍の光束を遮光し、開状態にあるときは撮影光束の通過経路上から退避される、複数枚の内羽根と、
それぞれ所定の軸周りに回動されることにより開閉され、閉状態にあるときは撮影光学系を通過する撮影光束の内の主に周辺部の光束を遮光し、開状態にあるときは撮影光束の通過経路上から退避されて上記複数枚の内羽根のそれぞれと略重なり合う、複数枚の外羽根と、複数の上記内羽根および上記外羽根とそれぞれ係合する複数の係合部を有していて、該羽根を開閉駆動する羽根駆動部材と、  上記複数枚の内羽根のそれぞれに設けられ、上記羽根駆動部材の係合部と常時カム結合して、この羽根駆動部材の駆動力を上記複数枚の内羽根に伝達する内羽根カムと、上記複数枚の外羽根のそれぞれに設けられ、上記羽根駆動部材の係合部と常時カム結合して、この羽根駆動材の駆動力を上記複数枚の外羽根に伝達する外羽根カムと、を具備し、  上記内羽根および上記外羽根を略同時に全開方向へ駆動開始していって、全開位置に到達する際には、上記内羽根が全開位置に到達する時と、上記外羽根が全開位置に到達する時とを異なるように、上記内羽根カムと上記外羽根カムのカム形状を形成したものである。
【００１６】
この発明によるカメラの露出調節装置は、複数枚の内羽根がそれぞれ所定の軸周りに回動されることにより開閉され閉状態にあるときは撮影光学系を通過する撮影光束の内の少なくとも光軸近傍の光束を遮光し開状態にあるときは撮影光束の通過経路上から退避され、複数枚の外羽根がそれぞれ所定の軸周りに回動されることにより開閉され閉状態にあるときは撮影光学系を通過する撮影光束の内の主に周辺部の光束を遮光し開状態にあるときは撮影光束の通過経路上から退避されて上記複数枚の内羽根のそれぞれと略重なり合い、羽根駆動部材が複数の上記内羽根および上記外羽根とそれぞれ係合する複数の係合部を有していて該羽根を開閉駆動し、上記複数枚の内羽根のそれぞれに設けられている内羽根カムが上記羽根駆動部材の係合部と常時カム結合してこの羽根駆動部材の駆動力を上記複数枚の内羽根に伝達し、上記複数枚の外羽根のそれぞれに設けられている外羽根カムが上記羽根駆動部材の係合部と常時カム結合してこの羽根駆動部材の駆動力を上記複数枚の外羽根に伝達し、上記内羽根および上記外羽根を略同時に全開方向へ駆動開始していって、全開位置に到達する際には、上記内羽根が全開位置に到達する時と、上記外羽根が全開位置に到達する時とを異なるように、上記内羽根カムと上記外羽根カムのカム形状を形成した。
【００１７】
【発明の実施の形態】
以下、図面を参照して本発明の実施の形態を説明する。
図１から図１２は本発明の一実施形態を示したものであり、図１はカメラの露出調節装置を前面側から示す分解斜視図である。
【００１８】
このカメラの露出調節装置は、３枚の外羽根１Ａ，１Ｂ，１Ｃおよび３枚の内羽根２Ａ，２Ｂ，２Ｃを備えてなるシャッタ羽根と、これらのシャッタ羽根を支持する後枠４と、上記シャッタ羽根を回動させる羽根駆動手段であり羽根駆動部材たる矢車３と、この矢車３に駆動力を伝達する羽根駆動手段たる開閉駆動レバー５と、駆動力を発生する駆動源であり羽根駆動手段たるプランジャ６と、このプランジャ６への通電を制御する羽根駆動手段たる駆動制御回路２４と、被写体の輝度を測定する測光手段２５と、フィルムの感度を検知するフィルム感度検知手段２６と、露光開始指示情報を取り込むレリーズ手段２７と、表示や音などにより各種の警告を行う警告手段２８とを有して構成されている。
【００１９】
上記後枠４は、撮影レンズ光学系の内の後群レンズＬ３，Ｌ４（図３参照）が接着して組み込まれているものであり、その前面側の周縁部には３本の羽根支持軸４ａ，４ｂ，４ｃが光軸方向に立設されている。
【００２０】
上記矢車３は、略リング状をなす枠部材であって、その円周上の一部から腕部３Ｄを後方へ延出した後に外径側に曲折し、その先端側に駆動力が伝達される先端部３ｄが形成されている。また、この矢車３の前面側の周縁部には、３本の駆動ピン３ａ，３ｂ，３ｃが光軸方向に立設されている。
【００２１】
この矢車３は、そのリング状の内周面を、上記後枠４の内側に設けた摺動面４ｇに嵌合するようにして該後枠４に組み込まれており、このとき同時に、矢車３のばね掛け３ｇに付勢手段たる引張コイルばね７の一端を引っ掛け、他端を後枠４内の図示しないばね掛け部に引っ掛けるようになっている。この引張コイルばね７の付勢力によって、矢車３は、光軸を中心として図１の反時計回りに付勢されている。
【００２２】
こうして後枠４に組み込まれた上記矢車３は、延出された腕部３Ｄが、この腕部３Ｄの幅よりも大きい幅を有して形成された上記後枠４の円周上の切り欠きに入るようになっていて、これらの幅の差分の量だけ矢車３が円周方向に回動自在となっている。つまり、矢車３の幅方向の端面３ｅが後枠４の切欠きの端面４ｅに当接した位置と、矢車３の幅方向の端面３ｆが後枠４の切欠きの端面４ｆに当接した位置との間で、該矢車３は回動自在となっている。
【００２３】
こうして後枠４に矢車３を回動可能に組み付けた後に、上述した３枚の外羽根１Ａ，１Ｂ，１Ｃと３枚の内羽根２Ａ，２Ｂ，２Ｃが、光軸後方側から前方側に向かって、
１Ａ→２Ａ→２Ｂ→１Ｂ→２Ｃ→１Ｃ
の順に重ねて組み込まれている（図６参照）。これは、各羽根の重なり同士の間に隙間が発生して光が侵入するのを防止するためであり、本実施形態の構成において最適なものとしてある。
【００２４】
このとき、上記外羽根１Ａ，内羽根２Ａは各孔１Ａａ，２Ａａを後枠４の羽根支持軸４ａに、外羽根１Ｂ，内羽根２Ｂは各孔１Ｂａ，２Ｂａを後枠４の羽根支持軸４ｂに、外羽根１Ｃ，内羽根２Ｃは各孔１Ｃａ，２Ｃａを後枠４の羽根支持軸４ｃに、それぞれ挿入することにより、各羽根支持軸４ａ，４ｂ，４ｃを中心にして回動可能となるように支持されている。
【００２５】
さらに、外羽根１Ａ，内羽根２Ａはカム孔１Ａｂ，２Ａｂを矢車３の駆動ピン３ａに、外羽根１Ｂ，内羽根２Ｂはカム孔１Ｂｂ，２Ｂｂを矢車３の駆動ピン３ｂに、外羽根１Ｃ，内羽根２Ｃはカム孔１Ｃｂ，２Ｃｂを矢車３の駆動ピン３ｃに、それぞれ挿入することにより、上記羽根支持軸４ａ，４ｂ，４ｃ周りに回転駆動されるようになっている。
【００２６】
上記矢車３の腕部３Ｄの先端部３ｄの面（図１の裏面）には、上記開閉駆動レバー５に植設されたピン５ｂが当接して係合するようになっている。この開閉駆動レバー５は、中心孔５ｄを後述する前板１０の回動軸１０ａ（図２参照）に嵌合しており、つまり該中心孔５ｄ周りに回動可能になっている。
【００２７】
この開閉駆動レバー５は、その回動中心から腕部５Ａを延出し、その先端部の上面に上記ピン５ｂを立設するとともに、このピン５ｂよりも回動中心側の下面にはピン５ｃを立設している。
【００２８】
上記前板１０の上記開閉駆動レバー５に近接した位置には、プランジャ６が配設されている。このプランジャ６は、コイル６ｂを巻回したソレノイド６Ｂと、このソレノイド６Ｂの中心軸方向に沿って摺動可能に設けられた鉄芯６Ａと、この鉄芯６Ａを上記ソレノイド６Ｂから突出する方向へ付勢するばね６ｃとを有して構成されている。上記鉄芯６Ａの先端部には、周方向の溝６ａが刻設されており、この溝６ａには上記開閉駆動レバー５のピン５ｃの先端部が嵌入して常時係合している。これにより、鉄芯６Ａの移動に連動して上記開閉駆動レバー５が作動するように構成されている。
【００２９】
上記プランジャ６のコイル６ｂは、上記駆動制御回路２４に接続されて通電状態を制御されるようになっている。すなわち、駆動制御回路２４によりコイル６ｂへの通電がなされていないときは、鉄芯６Ａは、上記ばね６ｃの付勢力により図１の左方向へソレノイド６Ｂから大きく突出しているが、コイル６ｂに通電されると、鉄芯６Ａは、図１の右方向へ移動してソレノイド６Ｂ内に引き込まれるようになっている。
【００３０】
このように構成されたカメラの露出調節装置の動作について説明する。
【００３１】
プランジャ６に通電されていないときには、鉄芯６Ａがばね６ｃの付勢力により図１の左側に突出した状態に保持されており、開閉駆動レバー５のピン５ｂは図１の反時計方向に回転された位置にある。このときには、ピン５ｂと先端部３ｄとの係合により、矢車３は、引張コイルばね７の付勢力に抗して図１の時計方向に回転され、その端面３ｅが上記後枠４の端面４ｅに当接した位置に保持されている。なお、ばね６ｃの付勢力は、引張コイルばね７の付勢力よりも強くなるように構成されている。
【００３２】
この状態では、露光用の開口は、シャッタ羽根である外羽根１Ａ，１Ｂ，１Ｃおよび内羽根２Ａ，２Ｂ，２Ｃにより遮蔽されていて、いわゆる閉状態となっている。この閉状態では、全開開口１３ａ（図３，図４，図５等参照）の内側の全ての部分において、羽根が少なくとも２枚以上は重なっている（図４，図６等参照）ために、１枚当たりの遮光性が弱くても構わない。従って羽根の１枚の厚さを薄くして軽量化を図ることが可能であり、姿勢による露光量の変動が減少して、羽根開放時の衝撃を減少させることができる。
【００３３】
上記レリーズ手段２７が押されて撮影操作が開始されると、上記測光手段２５から得た被写体輝度の情報や上記フィルム感度検知手段２６から得たフィルム感度情報などに基づいて、駆動制御回路２４がシャッタ時間やシャッタ開口値などの露出を決定する。
【００３４】
そして駆動制御回路２４は、決定した露出に基づいてプランジャ６を通電して、鉄芯６Ａをばね６ｃの付勢力に抗して図１の右側方向へ引き込むように作動させる。すると、開閉駆動レバー５は図１の時計方向へ回転し、ピン５ｂは矢車３の先端部３ｄから瞬時的に退避する。すると矢車３は、引張コイルばね７の付勢力により、シャッタ羽根を開き方向に移動させる。このとき、ピン５ｂが先端部３ｄから退避する速度の方が、引張コイルばね７により矢車３が動き出す速度よりも高速であるために、ピン５ｂが退避した後は矢車３は引張コイルばね７の付勢力のみにより駆動される。こうして矢車３を開き方向に駆動するのは常に引張コイルばね７のみとなって、安定した露光を確保することができる。
【００３５】
そして開口が開き始めて、上述で決定した露出に対応した適正な露光秒時が経過した後に、プランジャ６への通電を遮断すると、鉄芯６Ａはばね６ｃの付勢力により再び初期時のように図１の左側方向に移動される。
【００３６】
これにより矢車３は、開閉レバー５を介して、引張コイルばね７の力に抗して回動され、シャッタ羽根は閉じ方向へ移動される。こうして矢車３を閉じ方向に駆動するのは常に引張コイルばね７の付勢力に抗したばね６ｃとなって、安定した露光を確保することができる。
【００３７】
本実施形態のような光軸周りに回転する矢車を用いて光軸周りに対称に配置された複数枚のシャッタ羽根を駆動する機構では、カメラ、すなわちシャッタの姿勢が左右天地逆等の何れの方向を向いていても、羽根の開閉速度に重力による影響をほぼ受けないために、バラツキが少なく安定した露光を得ることができる。
【００３８】
図２は上述した露出調節装置を組み込んだ撮影レンズ鏡枠を前面側から示す分解斜視図である。
【００３９】
この撮影レンズ鏡枠は、光軸後方側から前方側に向かって順に、押え環９と、上記後枠４と、上記矢車３と、シャッタ羽根押え環１２と、上記外羽根１Ａ，１Ｂ，１Ｃおよび内羽根２Ａ，２Ｂ，２Ｃと、シャッタ羽根押え環１１と、前枠１３と、飾り環１４とを有して構成され、カメラ本体に固定された固定部材である前板１０に取り付けられた状態で、ガイド軸２２により支持されながら送りねじ軸２１により光軸方向に移動されるようになっている。
【００４０】
上記前板１０には、上記プランジャ６がビス２３を用いて固定されているとともに、上記開閉駆動レバー５がその中心孔５ｄに回動軸１０ａを挿通することにより回動可能に取り付けられている。
【００４１】
上記前枠１３は、前群レンズＬ１，Ｌ２（図３参照）が組み込まれているレンズ鏡枠であり、その先端には、外観上用いられる飾り環１４が接着されている。また、この前枠１３には、図示しない基板パターン上を摺動することにより光軸方向の位置を検出するためのスイッチ１５が固設され、そのやや下側にナット１６が固着されている。
【００４２】
上記シャッタ羽根押え環１１，１２は、上記外羽根１Ａ，１Ｂ，１Ｃおよび内羽根２Ａ，２Ｂ，２Ｃを挟み込むようにして配置されるものであり、シャッタ羽根が作動する際の摺動抵抗を小さくして動作をスムーズにすると共に、遮光性をも兼ねるものとなっている。これらシャッタ羽根押え環１１，１２には、上記羽根支持軸４ａ，４ｂ，４ｃが各挿通される孔１１Ａａ，１１Ｂａ，１１Ｃａおよび１２Ａａ，１２Ｂａ，１２Ｃａと、上記駆動ピン３ａ，３ｂ，３ｃが移動可能に各挿通される長孔１１Ａｂ，１１Ｂｂ，１１Ｃｂおよび１２Ａｂ，１２Ｂｂ，１２Ｃｂとが穿設されている。上述の内のシャッタ羽根押え環１１は上記前枠１３の内部に接着されていて、一方、シャッタ羽根押え環１２は上記後枠４に接着されている。
【００４３】
上記押え環９は、前枠１３に対してシャッタユニットとしての矢車３等や後枠４などの部品を組み付けた後に、後枠４に当接させて、矢車３のみを回動自在にしながら、スラスト方向に押え付けるものである。
【００４４】
上記後枠４にはフォトインタラプタ（ＰＩ）３０が固設されており、該矢車３に設けられたヒレ３ｖ，３ｗとその隙間との相対位置により出力信号を変化させるために、矢車３の回転位置状態を検出することができるようになっている。
【００４５】
上記ガイド軸２２は、上記撮影レンズ鏡枠を光軸方向に移動可能に支持するものであり、その一端を前板１０に、他端を押え板１７により支持されている。なお、押え板１７は、ビス１８によりワッシャ１８ａを介して上記前板１０に固定されている。
【００４６】
上記送りねじ軸２１は、上記ガイド軸２２に平行に設けられており、上記前枠１３に固着したナット１６に螺合されることにより、上記撮影レンズ鏡枠を光軸方向に駆動するものである。この送りねじ軸２１は、その一端部が上記押え板１７により回動可能かつスラスト方向の移動を規制されるように支持されていて、一方、他端部には傘歯車２０が回動一体に組み付けられて、上記前板１０内に回転可能に支持されている。この傘歯車２０は、図示しない歯車列を介して駆動源たるモータに連結されている。
【００４７】
これにより、モータが駆動されて傘歯車２０が回動されると送りねじ軸２１が回転し、撮影レンズ鏡枠がガイド軸２２に沿って光軸方向に移動されて、所望の位置で停止させることによりフォーカシングが行われる。
【００４８】
また、上記前板１０に取り付けたプランジャ６を制御して駆動することにより、シャッタ羽根を開閉して露出制御を行うことができる。
【００４９】
図３は露出調節装置を内蔵する撮影レンズ鏡枠を示す光軸に沿った縦断面図である。
【００５０】
この撮影レンズ鏡枠における撮影光学系は、前枠１３に接着された２枚構成でなる前群レンズＬ１，Ｌ２と、後枠４に接着されたやはり２枚構成でなる後群レンズＬ３，Ｌ４とを有して構成されており、本実施形態の撮影光学系は、いわゆる単焦点の光学系となっている。
【００５１】
図４は閉状態における露出調節装置を前面側から示す透視図、図５は全開状態における露出調節装置を前面側から示す透視図である。なお、これら図４，図５は、上記前枠１３を取り外した状態を示している。
【００５２】
図４に示すような閉状態においては、プランジャ６への通電が遮断されているために、ばね６ｃの付勢力により鉄芯６Ａは突出した状態となっており、開閉駆動レバー５のピン５ｂと先端部３ｄとが当接して、さらに、矢車３の端面３ｅと後枠４の端面４ｅとが当接した所で停止している。
【００５３】
この状態のときには、図７（Ａ）にも示すように、後枠４に固設されたフォトインタラプタ３０に対して、矢車３の２つのヒレ３ｖ，３ｗの内のヒレ３ｖが、フォトインタラプタ３０の検出光を遮蔽するように位置している。
【００５４】
上記図４に示す閉状態から図５に示す全開状態に移行して行くと、矢車３は図４および図５の反時計方向に回動して行き、ヒレ３ｖがフォトインタラプタ３０の検出光部分を通り過ぎて、ヒレ３ｖとヒレ３ｗの間の部分が検出光部分に対向して検出光を遮蔽していない状態となり、さらに回転して行くと、今度はヒレ３ｗにより検出光が遮光され始める。
【００５５】
そして、図５に示すような全開状態においては、プランジャ６への通電によりソレノイド６Ｂに磁束が発生して、ばね６ｃの付勢力に抗して鉄芯６Ａは引っ込んだ状態となっており、矢車３の端面３ｆと後枠４の端面４ｆが当接した所で停止していて、開閉駆動レバー５のピン５ｂと先端部３ｄとは当接していない。
【００５６】
この状態のときには、図７（Ｂ）にも示すように、ヒレ３ｗのほぼ中央部分がフォトインタラプタ３０の検出光を遮蔽するように位置している。
【００５７】
このようなフォトインタラプタ３０の出力波形については、後で図８，図９を参照して説明する。
【００５８】
上述したように、シャッタ羽根を構成する６枚の羽根の内、内羽根２Ａ，２Ｂ，２Ｃには内羽根カムたるカム孔２Ａｂ，２Ｂｂ，２Ｃｂが、外羽根１Ａ，１Ｂ，１Ｃには外羽根カムたるカム孔１Ａｂ，１Ｂｂ，１Ｃｂがそれぞれ穿設されていて、矢車３のピン３ａ，３ｂ，３ｃに各々嵌合している。これらのカム孔の形状は、内羽根２Ａ，２Ｂ，２Ｃと外羽根１Ａ，１Ｂ，１Ｃとで当然異なるものとなっており、シャッタ羽根による開口波形がリニアになるような形状に形成されている。
【００５９】
プランジャ６に通電して、引張コイルばね７の付勢力により矢車３が閉状態から全開状態に移動される全回転過程において、内羽根２Ａ，２Ｂ，２Ｃは最初から最後まで徐々に開き続けるようにカム孔２Ａｂ，２Ｂｂ，２Ｃｂが形成されているが、外羽根１Ａ，１Ｂ，１Ｃは上記内羽根２Ａ，２Ｂ，２Ｃが全開になるよりも前に上記図５に示すような全開位置に達し、その後は、この全開位置を維持するようにカム孔１Ａｂ，１Ｂｂ，１Ｃｂが形成されている。
【００６０】
これにより、閉状態から全開状態に移行するときに、開き動作の途中で先に外羽根１Ａ，１Ｂ，１Ｃが全開位置になり、その後タイミングをずらして内羽根２Ａ，２Ｂ，２Ｃが全開位置になる。
【００６１】
よって、内羽根２Ａ，２Ｂ，２Ｃと外羽根１Ａ，１Ｂ，１Ｃが同時に全開してから停止するときのような慣性による大きな衝撃を受けることはなく、全開状態となって停止するとき衝撃を減らすことができる。これにより、羽根の全開開口１３ａ内へのバウンドを防止することができ、さらにはこの衝撃による撮影レンズ鏡枠への影響をも減少することができて、ブレを防止しあるいは軽減することができる。
【００６２】
図６は、上記図４のＲ−Ｒ線で切断したときの閉状態のシャッタ羽根を示す展開断面図である。この図６において、上記図４，図５の周方向位置が分かるように、各方向Ｘ−，Ｘ＋，Ｙ−，Ｙ＋を記載している。
【００６３】
上述のように、シャッタ羽根である内羽根２Ａ，２Ｂ，２Ｃと外羽根１Ａ，１Ｂ，１Ｃは、各羽根の重なり同士の間に隙間が発生して光が侵入するのを防止するために、図示のような最適な順序で重ねられている。そして遮蔽状態のときには、光軸方向に対して必ず２枚以上の羽根が重畳されている。
【００６４】
図８は、プランジャ６、シャッタ羽根の開口波形、フォトインタラプタ３０の信号の変化をそれぞれ示す、（Ａ）低輝度時，（Ｂ）高輝度時のタイミングチャートである。
【００６５】
まず、図８（Ａ）に示すような、被写体が比較的低輝度であって、シャッタ羽根が全開になった後に所定時間維持される場合について説明する。
【００６６】
プランジャ６への通電がなされると、矢車３が引張コイルばね７の付勢力により図４の反時計方向に回転し始める。このとき、シャッタ羽根も動き始めるが、動き始めの時点では開口は未だ開いておらず、図７（Ａ）に示すように、フォトインタラプタ３０の検出光がヒレ３ｖにより遮蔽されて、該フォトインタラプタ３０からの出力信号（ＰＩ信号）がオフ（信号なし）の状態となっている。
【００６７】
この状態から、矢車３が図７の右方向に移動するために、ヒレ３ｖがフォトインタラプタ３０から退避してＰＩ信号がオンとなる。このＰＩ信号のオフからオンへの変化、つまりＰＩ信号の立ち下がりを露出制御用のＡＥトリガ信号として、露出秒時用のカウントを開始する。
【００６８】
さらに矢車３が回動すると、シャッタ羽根による開口が開き始める。シャッタ羽根による開口が開き始めて設定した最小露光量となる所定の開口量に達した所で、フォトインタラプタ３０はその検出光を矢車３の次のヒレ３ｗにより再度遮蔽され始めるために、ＰＩ信号はオンからオフに変化する。
【００６９】
そして、シャッタ羽根が上記図５に示すように全開に達すると、その全開位置で所定時間だけ維持される（図７（Ｂ）に示す状態）。駆動制御回路２４は、上記ＡＥトリガ信号時から所定の露出制御秒時が経過したと判断すると、プランジャ６への通電をオフにする。すると、矢車３はプランジャ６のばね６ｃの付勢力により、矢車３を図５の時計方向に回動（図７（Ｂ）の左方向に移動）し、シャッタ羽根を閉じ方向へ作動させる。
【００７０】
開くときとは逆に、シャッタ羽根による開口を閉じる途中で、矢車３のヒレ３ｗがフォトインタラプタ３０から退避するために、ＰＩ信号がオフからオンに変化して、つまりＰＩ信号の立ち下がりが検出される。
【００７１】
さらに矢車３が回転すると、シャッタ羽根は開口を完全に閉じ、さらに少し余裕分だけ閉じ方向に移動する。このときフォトインタラプタ３０は、図７（Ａ）に示すように、矢車３のヒレ３ｖにより再度遮蔽されるために、ＰＩ信号はオンからオフに変化し、つまりＰＩ信号の立ち上がりが検出される。このＰＩ信号の立ち上がりが、シャッタ動作が終了したことを示す信号として、その後のカメラ制御用に使用される。
【００７２】
次に、図８（Ｂ）に示すような、被写体が比較的高輝度であって、シャッタ羽根が全開に達する前に閉じ始める場合について説明する。
【００７３】
本実施形態の露出調節装置のシャッタ羽根は絞り兼用のものであるために、高輝度時には全開に達する前に開途中で閉じ作動して制御されることもあり、このときには、露出に応じて開く径を変化させることになる。
【００７４】
すなわち、図８（Ｂ）に示すように、図８（Ａ）と同様にプランジャ６に通電すると、矢車３が回動してフォトインタラプタ３０からのＰＩ信号がオフからオンになり、このＰＩ信号の立ち下がりがＡＥトリガ信号として用いられる。
【００７５】
さらにシャッタ羽根が開口を開き始めて、開き途中で所定量だけ開口を開いたときに、フォトインタラプタ３０は、上述したように、矢車３のヒレ３ｗにより遮蔽されて、ＰＩ信号がオンからオフになる。
【００７６】
その後、さらに開口を開く途中で、駆動制御回路２４によりＡＥトリガ信号後から所定の露出秒時が経過したと判断された場合には、全開に達する前であってもプランジャ６をオンからオフに制御する。
【００７７】
その後は、上述した図８（Ａ）の低輝度時と同様の動作を行う。
【００７８】
次に、図８（Ｂ）において２点鎖線で示すような開口波形のように、ほとんど露光しないまたは全く未露光となってしまう場合があった時について考える。
【００７９】
このカメラの露出調節装置は、使用最高輝度時において、シャッタ羽根の開口波形が図８（Ｂ）に示す位かそれよりもやや小さい程度になるように、機械的制御上および電気的制御上のバラツキを含めて設定されている。しかし、使用している間に時々、何らかの機械的・電気的な不具合（例えば、シャッタ羽根やその途中の駆動部材に異物が付着して起きる作動不良や、プランジャ６のオン／オフ制御不良等）が生じることにより、シャッタ羽根が全くあるいはほとんど開かず、未露光やほとんど露光されていない状態が発生する場合があり得る。
【００８０】
このような事態が発生したとしてもカメラが作動音を発生することもあるために、従来は、使用者には正常な動作か動作不良かを全く区別することができず、撮影終了後に現像したフィルムを見て始めて気が付くことになり、当然撮影できていると思っていた撮影コマが実は未露光であった、などとなってしまうことがあった。
【００８１】
図８（Ｂ）の２点鎖線のような波形となる場合には、一体的に、矢車３が所定量だけ回転していないことになる。
【００８２】
すなわち、プランジャ６に通電することにより、矢車３が回転し始めて、ヒレ３ｖが退避したときにフォトインタラプタ３０のＰＩ信号がオフからオンに変化して、このＰＩ信号の立ち下がりがＡＥトリガ信号として用いられる。
【００８３】
その後、さらにシャッタ羽根が開き方向へ作動して、開口を開き始める直前か、あるいは図８（Ｂ）の２点鎖線に示すようにわずかに開いた後に、何らかの原因で例えばプランジャ６がオフして閉じてしまった場合には、矢車３のヒレ３ｗがフォトインタラプタ３０に達する前に逆転駆動される。すると、フォトインタラプタ３０はヒレ３ｖにより遮蔽されて、図８（Ｂ）の２点鎖線に示すようにＰＩ信号がオンからオフに変化して、このＰＩ信号の立ち上がりがシャッタ作動完了信号として用いられる。その後、シャッタ羽根は閉状態となる。
【００８４】
すなわち、フォトインタラプタ３０からのＰＩ信号は、この場合にはオフ→オンとオン→オフを各１回発生するだけであり、正常に開閉作動を行った場合に各２回発生するのとは異なったものとなる。
【００８５】
そこで本実施形態においては、実際には最初のオフからオンへのＰＩ信号の立ち下がりを検出した後にフラグを立てて、次の（２度目の）オフからオンへのＰＩ信号の立ち下がりの有無を検知することにより、シャッタ羽根が開いて所定量以上の開口になる露出が行われたか否かを、すなわち未露光もしくはこれに準ずる状態がなかったか否かを検出することができるようになっている。
【００８６】
そのために、矢車３の２つのヒレ３ｖ，３ｗの移動方向の長さと、これらヒレ同士の間隔とを、シャッタ羽根が所定の最小開口量になったときに、それを検出することができるように設定してある。
【００８７】
そして、後で詳しく説明するように、未露光を検出した場合には、その直後に予め設定した秒時、例えば１／６０秒のシャッタ速度により、再度シャッタ羽根を駆動して自動的に露光を行うように構成している。これにより、例え未露光が発生したとしても、少なくとも撮影して写真として残しておくことができ、従来と異なって、被写体を全く撮影することができない事態を防止することができる。
【００８８】
また、この自動再撮影の機能を設けておくか否かに関らず、未露光を検出したときには、上記警告手段２８により視覚的な表示や聴覚的な音等を介して使用者に警告を行うようになっている。
【００８９】
図９は、シャッタ羽根の開口波形、フィルム面上の入射光量、プランジャの通電信号、ＰＩ信号、フラッシュ発光信号を示すタイムチャートであり、図１０，図１１，図１２は本実施形態のカメラの露出調節装置の制御動作を示すフローチャートである。
【００９０】
なお、上記図９には、このフローチャートの主要ステップ番号を対応して記載している。
【００９１】
レリーズ手段２７が押されて露光動作が開始されると、まずエラーフラグＥＲＲＦＬＧを０にセットし（ステップＳ１）、リミッタタイマとして１００ｍｓのタイマをスタートする（ステップＳ２）。
【００９２】
続いて、駆動制御回路２４によりプランジャ６への通電が開始される（ステップＳ３）と、矢車３が回動され始め、フォトインタラプタ３０からのＰＩ信号がオフからオンに変化したか否かを、つまりＰＩ信号の立ち下がり（↓）が検出されたか否かを判断する（ステップＳ４）。
【００９３】
ＰＩ信号がオフのままで立ち下がりが検出されない場合には、タイマカウントが１００ｍｓ以上になっているかを判断し（ステップＳ５）、１００ｍｓが経過している場合には、例えば矢車３の速度が遅いなどの作動不良が発生したとして、異常の場合に行うエラー処理へ移行する。また、上記ステップＳ５において１００ｍｓが経過していない場合には、上記ステップＳ４へ戻る。
【００９４】
一方、上記ステップＳ４においてＰＩ信号の立ち下がりを検出した場合には、これをＡＥトリガ信号として露出秒時再生タイマをスタートして、露出時間を制御するためのタイマカウントを開始する（ステップＳ６）。
【００９５】
これと同時に、フラッシュ発光信号を出力するためのフラッシュ発光タイミング秒時をカウントするタイマをスタートして（ステップＳ７）、フラッシュ発光が行われたか否かを示すフラグＦＬＧを０に設定する（ステップＳ８）。
【００９６】
そして、フラッシュ発光タイミング秒時が経過したかどうかをチェックし（ステップＳ９）、経過していなければ後述するステップＳ１４へ進み、経過した場合にはフラッシュ発光要求があるか否か判断する（ステップＳ１０）。
【００９７】
フラッシュ発光要求がない場合には後述するステップＳ１４へ進み、ある場合には上記フラグＦＬＧを検出する（ステップＳ１１）。
【００９８】
フラグＦＬＧが１ならば、既にフラッシュ発光済みであるとして後述するステップＳ１４へ進み、フラグＦＬＧが０ならばフラッシュ発光処理を行って（ステップＳ１２）、その後、フラグＦＬＧを１に設定する（ステップＳ１３）。
【００９９】
そして、露出秒時が経過したか否か判断し（ステップＳ１４）、まだ経過していない場合には上記ステップＳ９へ戻り、一方、経過した場合には、図１１へ行って、プランジャ６への通電を終了する（ステップＳ１５）。これにより、シャッタ羽根を閉じる動作が開始される。このとき同時に、１００ｍｓタイマをスタートする（ステップＳ１６）。
【０１００】
シャッタ羽根を閉じる途中で矢車３のヒレ３ｗがフォトインタラプタ３０から退避するときのＰＩ信号のオフからオンへの変化、つまりＰＩ信号の立ち下がり（↓）の有無を検出し（ステップＳ１７）、検出されない場合にはタイマをチェックして１００ｍｓが経過したか否かを判断する（ステップＳ１８）。
【０１０１】
１００ｍｓが経過していない場合には上記ステップＳ１７に戻り、経過していた場合には、例えば上記図８（Ｂ）の２点鎖線に示したような作動を行った結果、未露光あるいはこれに準ずる状態になったとして、エラー処理へ移行する。
【０１０２】
一方、上記ステップＳ１７において、ＰＩ信号の立ち下がりが検出された場合には、新たに１００ｍｓタイマスタートさせる（ステップＳ１９）。
【０１０３】
次に、シャッタ羽根が開口を閉じて、矢車３のヒレ３ｖがフォトインタラプタ３０を遮蔽する位置まで来ることにより、ＰＩ信号がオンからオフに変化して、ＰＩ信号の立ち上がり（↑）が検出されるか否かを判断する（ステップＳ２０）。
【０１０４】
ＰＩ信号の立ち上がりが検出されない場合には、タイマによるカウントが１００ｍｓを経過したか否かを判定し（ステップＳ２１）、経過していないときには上記ステップＳ１７へ戻り、経過している場合にはシャッタ羽根を閉じるときに何らかの異常があったと判断して、エラー処理へ移行する。
【０１０５】
また、上記ステップＳ２０において、ＰＩ信号の立ち上がりを検出した場合には、露光動作が終了となる。
【０１０６】
次に、上記ステップＳ５，Ｓ１８，Ｓ２１から移行するエラー処理の内容としては、本実施形態においては、通常露光が得られるような一定の露光秒時を設定して、再度露光動作を行うようにしている。これを図１２を参照して説明する。図１２はエラー処理を示すフローチャートである。
【０１０７】
エラー処理がスタートすると、まず、プランジャ６への通電を念のために終了させて、必ずシャッタ羽根が閉状態となった初期位置となるようにしておく（ステップＳ２２）。
【０１０８】
次に、エラーフラグＥＲＲＦＬＧをチェックして、エラー処理をすでに１度行っているかどうかをチェックする（ステップＳ２３）。エラーフラグＥＲＲＦＬＧが０である場合には初めてのエラー処理であるとして、エラーフラグＥＲＲＦＬＧを１に設定してから（ステップＳ２４）、カメラに予め設定されている再トライ用の固定された露出秒時データを選択して（ステップＳ２５）、上記ステップＳ２へ戻る。
【０１０９】
その後、上述と同様にシャッタ羽根の開閉動作を行って、フィルムへの露光を行うようにトライする。なお、フィルムの巻上は行っていないために、未露光であった駒に再度露光を行うことになる。また、撮影レンズのフォーカス位置も最初の露光のときのままであり、再フォーカスを行うことなく再露光を行う。これによりエラーを検出したときには自動的にこの再トライ露光を行うことにより、未露光等の露光不良の発生による撮影不良を減少することができる。
【０１１０】
また、上記ステップＳ２３においてエラーフラグＥＲＲＦＬＧが１である場合には、エラーを検知した後に、既にこの再露光トライをしてみたところ、また、続けてエラー処理ルーチンに入ってきたものであると判断して、警告手段２８により表示や音などを用いて使用者に警告を行った後に（ステップＳ２６）、レリーズロックしてそれ以上の撮影の続行を禁止する（ステップＳ２７）。これにより、使用者に未露光等の露光不良を告知することができる。
【０１１１】
このレリーズロックは、例えばバリア開閉操作等によってカメラの電源スイッチを一旦オフにし、その後再び電源スイッチをオンにすることにより、撮影が可能となるように復帰させても良いし、あるいは、エラーの発生頻度が多い場合には、レリーズロックしたままでカメラ不良であるから修理を行うように警告するようにしても良い。
【０１１２】
このような実施形態によれば、複数のシャッタ羽根のうち一部を先に全開して、その後タイミングをずらして残りのシャッタ羽根を全開させることにより、同時に全部のシャッタ羽根が全開とはならないために、同時に全ての羽根を全開する場合に比べて、シャッタ羽根を停止させるときの衝撃を小さくすることができる。
【０１１３】
よって、シャッタ羽根の全開時におけるバウンドを小さくすることができて、露光精度を向上することもできる。さらに、これによって撮影レンズ鏡枠に伝達されるシャッタ羽根が停止する際の衝撃による振動の発生も小さくすることができるために、撮影レンズ鏡枠がブレることによる写真のブレ等の影響を小さくすることができる。
【０１１４】
［付記］
以上詳述したような本発明の上記実施形態によれば、以下のごとき構成を得ることができる。
【０１１５】
（１）  それぞれ所定の軸周りに回動されることにより開閉され、閉状態にあるときは撮影光学系を通過する撮影光束を遮光し、開状態にあるときは撮影光束の通過経路上から退避し撮影光束を通過可能とする、複数枚の羽根を有するカメラの露出調節装置において、
上記複数枚の羽根は、閉状態にあるときは撮影光学系を通過する撮影光束の内の少なくとも光軸近傍の光束を遮光し、開状態にあるときは撮影光束の通過経路上から退避される、複数枚の内羽根と、閉状態にあるときは撮影光学系を通過する撮影光束の内の主に周辺部の光束を遮光し、開状態にあるときは撮影光束の通過経路上から退避されて上記複数枚の内羽根のそれぞれと略重なり合う、複数枚の外羽根とを有してなり、
上記内羽根と上記外羽根とを全開位置へ作動させた際に、上記内羽根と上記外羽根とでそれぞれ全開位置に到達するタイミングを異なるようにする羽根駆動手段と、
を具備したことを特徴とするカメラの露出調節装置。
【０１１６】
（２）  付記（１）に記載のカメラの露出調節装置において、
上記複数枚の内羽根はそれぞれ撮影光束の光軸を中心に回転対称に配設され、かつ、上記複数枚の外羽根はそれぞれ上記光軸を中心に回転対称に配設されている。
【０１１７】
（３）  それぞれ所定の軸周りに回動されることにより開閉され、閉状態にあるときは撮影光学系を通過する撮影光束を遮光し、開状態にあるときは撮影光束の通過経路上から退避する複数枚の羽根を有するカメラの露出調節装置において、上記複数枚の羽根を構成する、閉状態にあるときは撮影光学系を通過する撮影光束の内の少なくとも光軸近傍の光束を遮光し、開状態にあるときは撮影光束の通過経路上から退避される、複数枚の内羽根と、閉状態にあるときは撮影光学系を通過する撮影光束の内の主に周辺部の光束を遮光し、開状態にあるときは撮影光束の通過経路上から退避されて上記複数枚の内羽根のそれぞれと略重なり合う、複数枚の外羽根と、
複数の上記内羽根および上記外羽根とそれぞれ係合する複数の係合部を有していて、該羽根を開閉駆動する羽根駆動部材と、
上記複数枚の内羽根のそれぞれに設けられ、上記羽根駆動部材の係合部と常時カム結合して、この羽根駆動部材の駆動力を上記複数枚の内羽根に伝達する内羽根カムと、
上記複数枚の外羽根のそれぞれに設けられ、上記羽根駆動部材の係合部と常時カム結合して、この羽根駆動部材の駆動力を上記複数枚の外羽根に伝達する外羽根カムと、
を具備し、
上記内羽根および上記外羽根を略同時に全開方向へ駆動開始していって、全開位置に到達する際には、上記内羽根が全開位置に到達する時と、上記外羽根が全開位置に到達する時とを異なるように、上記内羽根カムと上記外羽根カムのカム形状を形成したことを特徴とするカメラの露出調節装置。
【０１１８】
（４）  付記（３）に記載のカメラの露出調節装置において、
上記羽根駆動部材の複数の係合部は、１つの係合部に対して上記内羽根の内羽根カムと上記外羽根の外羽根カムとが１組として各係合している。
【０１１９】
（５）  付記（３）に記載のカメラの露出調節装置において、
上記内羽根および上記外羽根は、それぞれ上記内羽根カムおよび上記外羽根カムと上記係合部との係合により、全開位置において停止するように規制されている。
【０１２０】
（６）  付記（１）または付記（３）に記載のカメラの露出調節装置において、
上記複数枚の内羽根および外羽根を開方向へ付勢する付勢手段をさらに具備している。
【０１２１】
（７）  付記（３）に記載のカメラの露出調節装置において、
上記羽根駆動部材を付勢することにより、該羽根駆動部材を介して上記複数枚の内羽根および外羽根を開方向へ付勢する付勢手段をさらに具備している。
【０１２２】
（８）  付記（３）に記載のカメラの露出調節装置において、
上記複数枚の内羽根はそれぞれ撮影光束の光軸を中心に回転対称に配設され、かつ、上記複数枚の外羽根はそれぞれ上記光軸を中心に回転対称に配設されている。
【０１２３】
（９）  付記（３）に記載のカメラの露出調節装置において、
上記羽根駆動部材を介して、上記複数枚の内羽根および外羽根を開閉駆動する駆動源をさらに具備している。
【０１２４】
（１０）  付記（９）に記載のカメラの露出調節装置において、
上記駆動源は、通電することにより上記羽根駆動部材を介して上記複数枚の内羽根および外羽根を開方向に駆動し、上記通電を遮断することにより上記羽根駆動部材を介して上記複数枚の内羽根および外羽根を閉方向に駆動するプランジャを有してなる。
【０１２５】
（１１）  プランジャへの通電および遮断により、それぞれ所定の軸周りに回動されることにより開閉され、閉状態にあるときは撮影光学系を通過する撮影光束を遮光し、開状態にあるときは撮影光束の通過経路上から退避する、複数枚の羽根を有してなる絞り羽根兼用シャッタを備えたカメラの露出調節装置において、上記複数枚の羽根は、閉状態にあるときは撮影光学系を通過する撮影光束の内の少なくとも光軸近傍の光束を遮光し、開状態にあるときは撮影光束の通過経路上から退避される、複数枚の内羽根と、閉状態にあるときは撮影光学系を通過する撮影光束の内の主に周辺部の光束を遮光し、開状態にあるときは撮影光束の通過経路上から退避されて上記複数枚の内羽根のそれぞれと略重なり合う、複数枚の外羽根とを有してなり、
上記内羽根と上記外羽根とを全開位置へ作動させた際に、上記内羽根と上記外羽根とでそれぞれ全開位置に到達するタイミングを異なるようにする羽根駆動手段と、
を具備したことを特徴とするカメラの露出調節装置。
【０１２６】
【発明の効果】
以上説明したように本発明のカメラの露出調節装置によれば、羽根が全開になって停止するときに発生する衝撃を緩和することができる。
【図面の簡単な説明】
【図１】本発明の一実施形態のカメラの露出調節装置を前面側から示す分解斜視図。
【図２】上記実施形態の露出調節装置を組み込んだ撮影レンズ鏡枠を前面側から示す分解斜視図。
【図３】上記実施形態の露出調節装置を内蔵する撮影レンズ鏡枠を示す光軸に沿った縦断面図。
【図４】上記実施形態の閉状態における露出調節装置を前面側から示す透視図。
【図５】上記実施形態の全開状態における露出調節装置を前面側から示す透視図。
【図６】上記図４のＲ−Ｒ線で切断したときの閉状態のシャッタ羽根を模式的に示す展開断面図。
【図７】上記実施形態の露出調節装置において、フォトインタラプタと矢車の２つのヒレの、（Ａ）閉状態，（Ｂ）全開状態における位置関係を模式的に示す図。
【図８】上記実施形態において、プランジャ、開口波形、ＰＩ信号の変化をそれぞれ示す、（Ａ）低輝度時，（Ｂ）高輝度時のタイミングチャート。
【図９】上記実施形態において、開口波形、フィルム面上の入射光量、プランジャの通電信号、ＰＩ信号、フラッシュ発光信号をそれぞれ示すタイムチャート。
【図１０】上記実施形態の露出調節装置の制御動作の一部を示すフローチャート。
【図１１】上記実施形態の露出調節装置の制御動作の他の一部を示すフローチャート。
【図１２】上記実施形態の露出調節装置のエラー制御動作を示すフローチャート。
【符号の説明】
１Ａ，１Ｂ，１Ｃ…外羽根
１Ａｂ，１Ｂｂ，１Ｃｂ…カム孔（外羽根カム）
２Ａ，２Ｂ，２Ｃ…内羽根
２Ａｂ，２Ｂｂ，２Ｃｂ…カム孔（内羽根カム）
３…矢車（羽根駆動手段，羽根駆動部材）
３ａ，３ｂ，３ｃ…駆動ピン
５…開閉駆動レバー（羽根駆動手段）
６…プランジャ（羽根駆動手段，駆動源）
７…引張コイルばね（付勢手段）
２４…駆動制御回路（羽根駆動手段）
【図１】
0003808946.tif 000002
【図２】
0003808946.tif 000003
【図３】
0003808946.tif 000004
【図４】
0003808946.tif 000005
【図５】
0003808946.tif 000006
【図６】
0003808946.tif 000007
【図７】
0003808946.tif 000008
【図８】
0003808946.tif 000009
【図９】
0003808946.tif 000010
【図１０】
0003808946.tif 000011
【図１１】
0003808946.tif 000012
【図１２】
0003808946.tif 000013